(57)【特許請求の範囲】
【請求項１】
複数の引戸本体を備え、引戸本体の厚さ方向にずれて配置されているこれらの引戸本体の同一方向への移動によって開口部が開閉されるとともに、開閉方向へずれた前記複数の引戸本体によって前記開口部を閉じる多重引き式引戸装置において、
前記複数の引戸本体のうち、前記開口部を閉じたときに最も閉じ側となる第１引戸本体の開閉移動を案内する第１ガイド部材と、
前記複数の引戸本体のうち、前記第１引戸本体を除く第２引戸本体の開閉移動を案内し、かつ前記第１ガイド部材よりも短くなっている第２ガイド部材と、
前記第２引戸本体を開き側へ付勢する付勢手段と、
前記第２ガイド部材の閉じ側の先端部又はその近傍に取り付けられ、前記第２引戸本体の閉じ側の移動限を規定するストップ部材と、
前記第１引戸本体の閉じ側への移動時のみにこの第１引戸本体と前記第２引戸本体を連結し、前記第１引戸本体の閉じ側への移動によって前記第２引戸本体を閉じ側へ移動させるための連結手段と、
を有し、
前記連結手段は、前記第１引戸本体の開き側の端部に、前記第２引戸本体の側への突出量を有して結合された第１連結部材と、前記第２引戸本体の閉じ側の端部に、前記第１引戸本体の側への突出量を有して結合された第２連結部材とによって形成されていることを特徴とする多重引き式引戸装置。
【請求項２】
請求項１に記載の多重引き式引戸装置において、前記第１連結部材と前記第２連結部材のうち、少なくとも一方には開閉方向への屈曲延出量を有する屈曲部が設けられていることを特徴とする多重引き式引戸装置。
【請求項３】
請求項１又は２に記載の多重引き式引戸装置において、前記第２ガイド部材は開き側へ下り傾斜しており、この第２ガイド部材が前記付勢手段となっていることを特徴とする多重引き式引戸装置。
【請求項４】
請求項１又は２に記載の多重引き式引戸装置において、前記付勢手段は、前記第２引戸本体を開き側へ移動させる駆動力を備えている駆動装置であることを特徴とする多重引き式引戸装置。
【請求項５】
請求項１〜４のいずれかに記載の多重引き式引戸装置において、前記第１引戸本体を閉じ側へ付勢するための付勢手段を有し、この付勢手段の付勢力は、前記第２引戸本体を開き側へ付勢する前記付勢手段の付勢力よりも大きいことを特徴とする多重引き式引戸装置。
【請求項６】
請求項１〜５のいずれかに記載の多重引き式引戸装置において、前記第１引戸本体及び前記第２引戸本体は、これらの引戸本体よりも上方に配置された前記第１ガイド部材及び前記第２ガイド部材から吊り下げられた上吊り式引戸本体となっていることを特徴とする多重引き式引戸装置。
【発明の詳細な説明】
【０００１】
【発明の属する技術分野】
本発明は、複数の引戸本体の同一方向への移動によって開口部が開閉され、この開口部を閉じたときにおけるこれらの引戸本体の位置が開閉方向へずれている多重引き式引戸装置に係り、例えば、それぞれの引戸本体がこれらの引戸本体の上方のガイドレールから吊り下げられた上吊り式の引戸装置等に利用できるものである。
【０００２】
【背景技術】
引戸本体によって開口部を開閉するための引戸装置のなかには多重引き式引戸装置がある。この多重引き式引戸装置は、一般的に開口部の幅寸法が大きい場合に適用されるもので、複数の引戸本体を備え、これらの引戸本体の同一方向への移動によって開口部が開閉されるとともに、開閉方向へずれたこれらの引戸本体によって開口部が閉じられる。
【０００３】
このような多重引き式引戸装置では、開口部を閉じたときに最も閉じ側となっている１個の第１引戸本体を開き側へ移動させたときには、次に閉じ側となっている１個の第２引戸本体が第１引戸本体と連動して開き側へ移動し、また、第１引戸本体が閉じ側へ移動したときには、第２引戸本体が第１引戸本体と連動して閉じ側へ移動するようになっている。これらの引戸本体の連動移動は、従来、引戸本体の個数が２個となっている２重引き式引戸装置では、例えば、第１引戸本体と第２引戸本体を２対１の速度で移動させるために、第１引戸本体と第２引戸本体をタイミングベルトやタイミングプーリ等を用いた連動装置で連結することにより行われていた。
【０００４】
【発明が解決しようとする課題】
この従来技術によると、多重引き式引戸装置の複数の引戸本体を連動させて開閉移動させるためには、多数の部品で組み立てられた複雑な構造の連動装置が必要となり、このため、その組立作業に手間がかかるとともに、多重引き式引戸装置の全体コストが高くなるおそれがあった。
【０００５】
本発明の目的は、複数の引戸本体を比較的簡単な構造で連動移動させることができるようになる多重引き式引戸装置を提供するところにある。
【０００６】
【課題を解決するための手段】
本発明に係る多重引き式引戸装置は、複数の引戸本体を備え、これらの引戸本体の同一方向への移動によって開口部が開閉されるとともに、開閉方向へずれた前記複数の引戸本体によって前記開口部を閉じる多重引き式引戸装置において、前記複数の引戸本体のうち、前記開口部を閉じたときに最も閉じ側となる１個の第１引戸本体を除く少なくとも１個の第２引戸本体を開き側へ付勢する付勢手段と、前記第１引戸本体の閉じ側への移動時にこの第１引戸本体と前記第２引戸本体を連結し、前記第１引戸本体の閉じ側への移動によって前記第２引戸本体を閉じ側へ移動させるための連結手段と、を有することを特徴とするものである。
【０００７】
この多重引き式引戸装置によると、第１引戸本体を開き側へ移動させると、第２引戸本体は付勢手段で開き側へ付勢されているため、第２引戸本体も開き側へ移動し、第１引戸本体と第２引戸本体は連動移動する。また、第１引戸本体が閉じ側へ移動すると、この方向への移動については連結手段で第１引戸本体と第２引戸本体が連結されるため、第２引戸本体も閉じ移動し、第１引戸本体と第２引戸本体は連動移動する。
【０００８】
この多重引き式引戸装置における付勢手段は、第２引戸本体を開き側へ付勢するだけのものでよく、また、連結手段は、第１引戸本体の閉じ側への移動時にこの第１引戸本体と第２引戸本体を連結するだけのものでよいため、第１引戸本体と第２引戸本体を開き側と閉じ側の両方へ連動させて移動させるための手段を比較的簡単な構造のものとすることができる。
【０００９】
以上において、第２引戸本体を開き側へ付勢するための付勢手段は任意な原理に基づくものでよい。その一例は、第２引戸本体がガイド部材に案内されて開閉移動するものとなっている場合には、このガイド部材を開き側へ下り傾斜させ、ガイド部材の下り勾配により、第２引戸本体を開き側へ常時付勢することである。
【００１０】
この場合におけるガイド部材は、ガイドレールでもよく、スライディングレール等でもよい。
【００１１】
付勢手段の他の例は、第２引戸本体を開き側へ移動させる駆動力を備えている駆動装置である。この駆動装置は、例えば、第２引戸本体と、この第２引戸本体に対して不動となっている不動部材とのうちの一方に渦巻きばね、コイルばね、ゴム等からなる弾性部材を備えた装置本体が取り付けられるとともに、この装置本体と他方との間にワイヤー、ベルト等による紐状部材が架設され、この紐状部材に作用する前記弾性部材の弾性力によって第２引戸本体を開き側へ付勢するものでよい。また、この駆動装置は、第２引戸本体と、この第２引戸本体に対して不動となっている不動部材との間にゴム、コイルばね等による弾性紐状部材が架設され、この弾性紐状部材の弾性力によって第２引戸本体を開き側へ付勢するものでもよい。
【００１２】
さらに、この駆動装置は、第２引戸本体と、この第２引戸本体に対して不動となっている不動部材との間に空気等の弾性圧縮流体を封入したシリンダが架設され、この弾性圧縮流体による弾性力によって第２引戸本体を開き側へ付勢するものでもよい。さらに、この駆動装置は、第２引戸本体と、この第２引戸本体に対して不動となっている不動部材とに互いに吸引又は反発する電磁石が取り付けられ、これらの電磁石の吸引力又は反発力を利用して第２引戸本体を開き側へ付勢するリニアモータ式のものや、電動モータの駆動力を利用して第２引戸本体を開き側へ付勢する電動駆動式のもの等でもよい。
【００１３】
また、第１引戸本体の閉じ側への移動時にこの第１引戸本体と第２引戸本体を連結するための前記連結手段は、任意のものでよく、その一例は、第１引戸本体と第２引戸本体のうちの一方に、第１引戸本体の閉じ側への移動時において他方に当接等してこれらの引戸本体同士を連結する連結部材を設けることである。また、他の例は、第１引戸本体と第２引戸本体の両方に、第１引戸本体の閉じ側への移動時において互いに当接等してこれらの引戸本体同士を連結する連結部材を設けることである。さらに、他の例は、第１引戸本体と第２引戸本体とをこれらの開閉動作に支障がないように常時連結状態とする連結部材を設けることである。
【００１４】
以上の本発明に係る多重引き式引戸装置において、第１引戸本体の閉じ側への移動は、第２引戸本体を開き側へ付勢するための前記付勢手段とは別の付勢手段でなされてもよく、人為操作でなされてもよい。
【００１５】
前者の場合には、第１引戸本体を閉じ側へ付勢させるための付勢手段が多重引き式引戸装置に設けられるが、この付勢手段の付勢力は、第２引戸本体を開き側へ付勢するための付勢手段の付勢力よりも大きくすることが好ましい。
【００１６】
これによると、第１引戸本体を閉じ側へ付勢するための付勢手段の付勢力と前記連結手段により、通常時に第１引戸本体と第２引戸本体を閉じ側へ移動させておくことができ、これらの引戸本体の通常状態を前記開口部を閉じた閉じ状態とすることができる。そして、第１引戸本体を人為操作で開き側へ移動させたときには、前述したとおり、第２引戸本体を付勢手段で開き側へ移動させることができ、第１引戸本体と第２引戸本体を連動させて開き移動させることができる。
【００１７】
以上のように第１引戸本体を閉じ側へ移動させるための付勢手段を多重引き式引戸装置に設ける場合には、この付勢手段は、前述した第２引戸本体を開き側へ付勢するための付勢手段と同様に、第１引戸本体の開閉移動を案内するガイドレール、スライディングレール等によるガイド部材を閉じ側へ下り傾斜させたものでもよく、渦巻ばね、弾性圧縮流体等を利用した駆動装置によるものでもよく、リニアモータ式や電動駆動式の駆動装置等によるものでもよい。
【００１８】
また、本発明に係る多重引き式引戸装置は、複数の引戸本体を備え、これらの引戸本体の同一方向への移動によって開口部が開閉されるとともに、開閉方向へずれた前記複数の引戸本体によって前記開口部を閉じる多重引き式引戸装置において、前記複数の引戸本体のうち、前記開口部を閉じたときに最も閉じ側となる１個の第１引戸本体と、残りの引戸本体のうちの少なくとも１個の第２引戸本体とを前記第１引戸本体の開き側への移動時に連結し、前記第１引戸本体の開き側への移動によって前記第２引戸本体を開き側へ移動させるための第１連結手段と、前記第１引戸本体と前記第２引戸本体とを前記第１引戸本体の閉じ側へ移動時に連結し、前記第１引戸本体の閉じ側への移動によって前記第２引戸本体を閉じ側へ移動させるための第２連結手段と、を有することを特徴とするものである。
【００１９】
この多重引き式引戸装置によると、第１引戸本体を開き側へ移動させると、第２引戸本体は第１連結手段で第１引戸本体と共に開き側へ移動し、第１引戸本体が閉じ側へ移動すると、第２引戸本体は第２連結手段で第１引戸本体と共に閉じ側へ移動し、第１引戸本体と第２引戸本体は連動して開閉移動することになる。
【００２０】
この多重引き式引戸装置における第１連結手段は、第１引戸本体を開き側へ移動させたときにこの第１引戸本体と第２引戸本体を連結するだけのものでよく、また、第２連結手段は、第１引戸本体を閉じ側へ移動させたときにこの第１引戸本体と第２引戸本体を連結するだけのものでよいため、第１引戸本体と第２引戸本体を開き側と閉じ側の両方へ連動させて移動させるための手段を比較的簡単な構造のものとすることができる。
【００２１】
これらの連結手段の一例は、第１引戸本体と第２引戸本体のうちの一方に、第１引戸本体の開き側と閉じ側への移動時において他方に当接等してこれらの引戸本体同士を連結する連結部材を設けることである。また、他の例は、第１引戸本体と第２引戸本体の両方に、第１引戸本体の開き側と閉じ側への移動時において互いに当接等してこれらの引戸本体同士を連結する連結部材を設けることである。
【００２２】
この多重引き式引戸装置においても、第１引戸本体の閉じ側への移動は付勢手段でなされてもよく、人為操作でなされてもよい。
【００２３】
前者によると、第１引戸本体を閉じ側へ付勢するための付勢手段の付勢力と前記第２連結手段により、通常時に第１引戸本体と第２引戸本体を閉じ側へ移動させておくことができ、これらの引戸本体の通常状態を前記開口部を閉じた閉じ状態にできる。そして、第１引戸本体を人為操作で開き側へ移動させたときには、前述したとおり、第２引戸本体を第１連結手段で第１引戸本体と共に開き側へ移動させることができる。
【００２４】
このように第１引戸本体を閉じ側へ移動させるための付勢手段を多重引き式引戸装置に設ける場合には、この付勢手段は、前述した多重引き式引戸装置と同様に、第１引戸本体の開閉移動を案内するガイドレール、スライディングレール等によるガイド部材を閉じ側へ下り傾斜させたものでもよく、渦巻ばね、弾性圧縮流体等を利用した駆動装置によるものでもよく、リニアモータ式や電動駆動式の駆動装置等によるものでもよい。
【００２５】
また、以上説明したそれぞれの本発明は、前記複数の引戸本体がこれらの引戸本体の上方に配置されたガイドレール、スライディングレール等によるガイド部材から吊り下げられた上吊り式引戸本体となっている場合や、複数の引戸本体がこれらの引戸本体の下方に配置されたガイド部材に案内されて移動するものとなっている場合、さらには複数の引戸本体がこれらの引戸本体の上方と下方に配置されたガイド部材に案内されて移動するものとなっている場合のいずれにも適用できる。
【００２６】
また、複数の引戸本体がそれぞれの引戸本体ごとに設けられた複数のガイド部材で案内され、これらのガイド部材が結合される構造になっている場合には、これを具体的に説明すると、例えば、複数の引戸本体が前述した第１引戸本体と第２引戸本体からなるものであって、第１引戸本体の開閉移動を案内する第１ガイド部材と第２引戸本体の開閉移動を案内する第２ガイド部材とが結合される構造になっている場合には、第２ガイド部材が結合される前の第１ガイド部材を、この第１ガイド部材に第１引戸本体を配置する作業を行う側に露出されたものとすることが好ましい。
【００２７】
これによると、第２ガイド部材を結合する前の第１ガイド部材は、この第１ガイド部材に第１引戸本体を配置する作業を行う側に露出することになるため、第１ガイド部材に第１引戸本体を配置するための作業を容易に行える。
【００２８】
以上において、前記複数の引戸本体の個数は２個でもよく、３個以上でもよい。引戸本体の個数を３個以上とする場合においては、前記開口部を閉じたときに閉じ側から２番目と３番目となる第２引戸本体と第３引戸本体との関係は、前述したそれぞれの本発明における第１引戸本体と第２引戸本体との関係と同じく、第３引戸本体を開き側へ付勢手段で付勢して、第２引戸本体の閉じ側へ移動時に連結手段で第２引戸本体と第３引戸本体を連結する関係としたり、第２引戸本体の開き側への移動時に第１連結手段で第２引戸本体と第３引戸本体を連結して、第２引戸本体の閉じ側への移動時に第２連結手段で第２引戸本体と第３引戸本体を連結する関係とすればよく、第３引戸本体と第４引戸本体及びこれ以降の引戸本体同士の関係も同様である。
【００２９】
また、以上説明した本発明は、前記複数の引戸本体の配置位置が引戸本体の厚さ方向にずれている場合と、これらの引戸本体が入れ子式となっていて、引戸本体の内部に他の引戸本体が侵入自在となっている場合との両方に適用できる。
【００３０】
また、本発明は、引戸本体が前記複数の引戸本体だけであって、これらの引戸本体による片引き式となっている引戸装置にも適用でき、また、前記複数の引戸本体の他に１個又は複数の引戸本体を有し、この１個又は複数の引戸本体が前記複数の引戸本体と開閉方向に向かい合う引き分け式となっている引戸装置にも適用できる。
【００３１】
さらに、本発明は、開き移動して前記開口部を開けたときの引戸本体が収納される戸袋付きの引戸装置と、このような戸袋を備えない引戸装置とに適用できる。
【００３２】
戸袋付き引戸装置における戸袋は、引戸装置が設置される壁から露出して形成されたものでもよく、壁の内部に設けられたものでもよい。後者の引戸装置は、開き移動した引戸本体が壁の内部に収納される壁収納型となる。
【００３３】
また、戸袋は、引戸本体の両側の面を覆うものでもよく、引戸本体の片側の面を覆うものでもよい。
【００３４】
さらに、引戸本体の移動経路は、直線経路だけのものでもよく、直線経路と直線経路以外の経路（例えば、湾曲経路等）との組み合わせからなるものでもよく、直線経路以外の経路だけからなるものでもよく、任意である。そして、引戸本体の移動経路が直線経路以外の経路を有するもの又は直線経路以外の経路だけからなるものとなっている場合には、引戸本体は、直線経路以外の経路に沿って移動できるように、湾曲変形等するものや湾曲形状等となっているものでもよい。
【００３５】
【発明の実施の形態】
以下に本発明の実施形態を図面に基づいて説明する。図１は、本実施形態に係る引戸装置の全体を示す正面図である。
【００３６】
図１に示されているとおり、本実施形態に係る多重引き式引戸装置は２個の第１引戸本体１と第２引戸本体２を有する２重引き式引戸装置となっている。これらの引戸本体１，２は、建物内の廊下と部屋との間の出入口となっている開口部３を開閉し、この開口部３は、２重引き式引戸装置の外枠組みの構成部材となっている戸先側の縦枠部材４と、上部の横枠部材である無目５と、壁に露出して設けられた戸袋６の戸先側の縦額縁部材７と、床８とで囲まれる内側に形成されている。戸袋６の戸尻側の部材は上記外枠組みの戸尻側の縦枠枠部材９となっており、２個の縦枠部材４と９との間に無目５が架け渡されている（図２参照）。
【００３７】
同一方向へ移動することによって開口部３を開閉する第１引戸本体１と第２引戸本体２はこれらの引戸本体１，２の厚さ方向にずれて配置されている（図３参照）とともに、これらの引戸本体１，２が開口部３を閉じたときには、第１引戸本体１が閉じ側となり、第２引戸本体２の位置がこの第１引戸本体１から開き側へずれた位置となる。また、両方の引戸本体１，２が開き移動したときには、これらの引戸本体１，２は、これらの引戸本体１，２の厚さ方向に重なって戸袋６の内部に収納される。
【００３８】
２個の縦枠部材４と９との間に跨る長さを有する無目５には、カバー１０で塞がれる点検口がこの無目５の全長又は略全長に亘って設けられ、通常時、この横長の点検口はカバー１０で塞がれており、カバー１０は、縦枠部材４の突片部４Ａと縦枠部材９の突片部９Ａに形成されたねじ孔にねじ込まれる止めねじ１１，１２で取り付けられる。カバー１０を取り外すことにより、２個の引戸本体１，２を開閉移動させるために無目５の内部に組み込まれている移動機構についての点検、保守、修理等の作業を行える。
【００３９】
図２は、この移動機構を示す正面図である。また、図３は、図２のＳ３−Ｓ３線断面図である。図３で示すように、カバー１０が配置される側とは反対側の無目５の側面部５Ａには、補強部材を兼ねる取付部材２０を介して第１ガイド部材である第１ガイドレール２１が取り付けられている。この第１ガイドレール２１は、取付部材２０に結合された上下方向に延びる基部２１Ａの下端から引戸本体１，２の厚さ方向へ延びる下辺部２１Ｂと、この下辺部２１Ｂの先端から立ち上った立上部２１Ｃと、この立上部２１Ｃの上端の第１レール部２１Ｄと、基部２１Ａの上端から引戸本体１，２の厚さ方向であって下辺部２１Ｂと同じ方向へ延びる上辺部２１Ｅと、この上辺部２１Ｅの先端から下向きに延びる垂下部２１Ｆとからなる。
【００４０】
第１ガイドレール２１の垂下部２１Ｆには、第２ガイド部材である第２ガイドレール２２が結合され、この第２ガイドレール２２は、上下方向に延びる基部２２Ａと、この基部２２Ａの下端から引戸本体１，２の厚さ方向であって第１ガイドレール２１の下辺部２１Ｂ、上辺部２１Ｅと同じ方向へ延びる下辺部２２Ｂと、この下辺部２２Ｂの先端から立ち上った立上部２２Ｃと、この立上部２２Ｃの上端の第２レール部２２Ｄとからなる。
【００４１】
以上の第１及び第２ガイドレール２１，２２はアルミ合金製の押し出し成形品又引き抜き成形品であり、同一断面形状が長さ方向（引戸本体１，２の移動方向）へ連続している。
【００４２】
また、図２で示されているとおり、第１ガイドレール２１は無目５と略同じ長さを有していて、第１引戸本体１の移動範囲に亘る長さとなっている。第２ガイドレール２２は第１ガイドレール２１よりも短いとともに、第１ガイドレール２１よりも引戸本体１，２の開き側に配置され、第２引戸本体２の移動範囲に亘る長さとなっている。
【００４３】
また、第２ガイドレール２２は、このガイドレール２２の基部２２Ａが第１ガイドレール２１の垂下部２１Ｆにビス等による複数の止着具２３で止着されることにより、第１ガイドレール２１に結合されている。第１ガイドレール２１は第１引戸本体１の移動方向に亘って水平となっており、このため、このガイドレール２１の第１レール部２１Ｄも第１引戸本体１の移動方向に亘って水平となっているが、第２ガイドレール２２は第２引戸本体２の開き側へ下り傾斜しており、このため、このガイドレール２２の第２レール部２２Ｄも第２引戸本体２の開き側へ下り傾斜している。このような下り勾配となるように、第２ガイドレール２２は第１ガイドレール２１に止着具２３で結合されている。
【００４４】
以上において、図３で示されているように、第１ガイドレール２１の第１レール部２１Ｄは第１引戸本体１の真上に配置され、第２ガイドレール２２の第２レール部２２Ｄは第２引戸本体２の真上に配置されている。すなわち、止着具２３で結合されている第１ガイドレール１と第２ガイドレール２は、第１ガイドレール２１が第１引戸本体１側となり、第２ガイドレール２２が第２引戸本体２側となって引戸本体１，２の厚さ方向に並設されている。
【００４５】
図２で示すように、第１引戸本体１の開閉移動方向に分かれてこの引戸本体１の上端に結合された２個のローラブラケット２４，２５にはローラ２６，２７が回転自在に取り付けられ、これらのローラ２６，２７は第１ガイドレール２１の第１レール部２１Ｄに係合し、第１引戸本体１はこの第１レール部２１Ｄに案内されて移動する。また、第２引戸本体１の開閉移動方向に分かれてこの引戸本体２の上端に結合された２個のローラブラケット２８，２９にもローラ３０，３１が回転自在に取り付けられ、これらのローラ３０，３１は第２ガイドレール２２の第２レール部２２Ｄに係合し、第２引戸本体２はこの第２レール部２２Ｄに案内されて移動する。
【００４６】
このため、２個の引戸本体１，２は、これらの引戸本体１，２の上方に配置されたガイドレール２１，２２から吊り下げられた上吊り式のものとなっている。
【００４７】
第１引戸本体１は、戸先端部が戸先側の縦枠部材４に当接することにより閉じ側の移動限に達し、また、ローラブラケット２５が、第１ガイドレール２１の長さ方向後端部（引戸本体１の開き側の端部）又はその近傍に取り付けられたストップ部材３２に当接することにより開き側の移動限に達する。第２引戸本体２は、ローラブラケット２８が第２ガイドレール２２の長さ方向先端部（引戸本体２の閉じ側の端部）又はその近傍に取り付けられたストップ部材３３に当接することにより閉じ側の移動限に達し、ローラブラケット２９が、第２ガイドレール２２の長さ方向後端部又はその近傍に取り付けられたストップ部材３４に当接することにより開き側の移動限に達する。
【００４８】
なお、開き側の移動限に達した第１引戸本体１をその移動限に停止させることができるように、第１引戸本体１と第１ガイドレール２１のうちの一方に、他方に設けた被係止部材に弾性的に係止する板ばね等からなる係止部材を設け、この係止部材を弾性変形させて被係止部材との係止から離脱させることができる操作力等の荷重が第１引戸本体１に作用したときに、第１引戸本体１が閉じ側へ移動するようにしてもよい。また、第２引戸本体２についても、開き側の移動限に達した第２引戸本体２をその移動限に停止させることができるように、第２引戸本体２と第２ガイドレール２２のうちの一方に、他方に設けた被係止部材に弾性的に係止する板ばね等からなる係止部材を設け、この係止部材を弾性変形させて被係止部材との係止から離脱させることができる操作力等の荷重が第２引戸本体２に作用したときに、第２引戸本体２が閉じ側へ移動するようにしてもよい。
【００４９】
図２で示されているように、この実施形態に係る引戸装置には、第１引戸本体１を閉じ側へ常時付勢するための付勢手段となっている駆動装置４０が設けられている。この駆動装置４０は、ローラブラケット２４に取り付けられた装置本体４１と、この装置本体４１の内部に回転自在に組み込まれたリール４２と、このリール４２に一端が結合されて巻かれ、装置本体４１から延びている他端が不動部材となっている戸先側の前記縦枠部材４に結合された紐状部材４３とを有する。リール４２の内側には、一端がリール４２に結合され、他端が装置本体４１に結合された渦巻きばねが配置されている。
【００５０】
このため、第１引戸本体１を図２の位置から図１で示されている把持部１Ａを把持して開き側へ移動させると、回転しながら紐状部材４３を繰り出すリール４２によって渦巻きばねが蓄圧される。この蓄圧力が第１引戸本体１を閉じ側へ付勢する駆動力となり、把持部１Ａから手を離すと、また、前記係止部材の被係止部材への係止によって開き側の移動限に停止していた第１引戸本体１に閉じ側への操作力を付与し、これによって係止部材の被係止部材への係止を解除すると、上記駆動力により第１引戸本体１は自動的に閉じ移動する。
【００５１】
なお、装置本体４１を、縦枠部材４等の引戸本体１に対して不動となっている不動部材に取り付け、紐状部材４３の端部を引戸本体１に結合してもよい。
【００５２】
また、この実施形態に係る引戸装置には、図２で示すように、第１引戸本体１が閉じ側の移動限から所定距離まで達したときに、これ以後の第１引戸本体１の閉じ移動速度を減速させるための制動装置５０が設けられている。この制動装置５０は、第１ガイドレール２１にブラケット５１で取り付けられたシリンダ５２と、このシリンダ５２に対して伸縮自在となったピストンロッド５３と、第１引戸本体１のローラブラケット２５に取り付けられ、この引戸本体１が閉じ側の移動限から所定距離まで達したときに、シリンダ５２から引戸本体１の開き側に突出しているピストンロッド５３に磁力によって吸着し、これ以後の引戸本体１の閉じ移動によってピストンロッド５３を収縮移動させるキャッチ部材５４とを有する。シリンダ５２には、ピストンロッド５３の収縮移動によって圧縮されるシリンダ５２の内部の空気を絞りながら排出するオリフィスが設けられているため、引戸本体１が閉じ側の移動限から所定距離まで達してさらに閉じ移動したときには、この閉じ移動は、オリフィスの絞り作用によって減速されたものとなる。
【００５３】
また、図１の把持部１Ａにより第１引戸本体１を開き移動させたときには、キャッチ部材５４は磁力によってピストンロッド５３をシリンダ５２に対して伸長移動させ、シリンダ５２には、このときに多量の空気をシリンダ５２の内部に入れるための吸気口を開く一方弁が設けられているため、引戸本体１は、図１の把持部１Ａに作用させた開き操作力の大きさに応じた速度で開き移動し、引戸本体１の開き移動距離が所定距離に達すると、キャッチ部材５４はピストンロッド５３から離れる。
【００５４】
なお、以上の実施形態とは逆にシリンダ５２を第１引戸本体１に取り付け、キャッチ部材５４を第１ガイドレール２１等の不動部材に取り付けてもよい。
【００５５】
図１及び図３で示されているように、前記床８には垂直軸６０を中心に回転自在となったガイドローラ６１が設けられ、このガイドローラ６１は、第２引戸本体２の下端の下向き開口部２Ｂの内部に挿入されている。このため、第２引戸本体２は、上方の第２ガイドレール２２と下方のガイドローラ６１に案内されて開閉移動する。
【００５６】
また、図３で示されているように、第２引戸本体２にはＬ字状ブラケット６２が取り付けられ、このブラケット６２に設けられた垂直軸６３を中心に回転自在となったガイドローラ６４が引戸本体２の外部に配置され、このガイドローラ６４は、第１引戸本体１の下端の下向き開口部１Ｂの内部に挿入されている。このため、第１引戸本体１は、上方の第１ガイドレール２１と下方のガイドローラ６４に案内されて開閉移動する。
【００５７】
図４は、図２のＳ４−Ｓ４線矢視図である。この図４で示されているとおり、第１引戸本体１の開き側の端部（戸尻側の端部）には、引戸本体１の厚さ方向における第２引戸本体２の側への突出量を有する板状の第１連結部材７１が結合され、第２引戸本体２の閉じ側の端部（戸先側の端部）には、引戸本体２の厚さ方向における第１引戸本体１の側への突出量を有する板状の第２連結部材７２が結合されている。この実施形態では、第２連部材７２に引戸本体２の開き側への屈曲延出量を有する屈曲部７２Ａが設けられている。このため、第１引戸本体１が閉じ側へ移動すると、第１連結部材７１が第２連結部材７２の屈曲部７２Ａに当接するため、第１引戸本体７１と第２引戸本体７２の連結により、第２引戸本体２は第１引戸本体１と共に閉じ側へ移動する。
【００５８】
このため、第１及び第２連結部材７１，７２により、第１引戸本体１の閉じ側への移動時にこの第１引戸本体１と第２引戸本体２を連結し、第１引戸本体１の閉じ側への移動で第２引戸本体２を閉じ側へ移動させるための連結手段７０が形成されている。
【００５９】
なお、第２連結部材２を第２引戸本体２の開き側への屈曲部７２Ａを有しないものとするとともに、第１連結部材７１を第１引戸本体１の閉じ側への屈曲部を有するものとしてもよい。また、第２連結部材２を第２引戸本体２の開き側への屈曲部７２Ａを有するものとするとともに、第１連結部材７１を第１引戸本体１の閉じ側への屈曲部を有するものとしてもよく、第２連結部材２を第２引戸本体２の開き側への屈曲部７２Ａを有しないものとするとともに、第１連結部材７１を第１引戸本体１の閉じ側への屈曲部を有しないものとしてもよい。
【００６０】
また、本実施形態では、第２引戸本体２の開き側の端部に、引戸本体２の厚さ方向における第１引戸本体１の側への突出量を有する板状の第３連結部材７３が結合されている。
【００６１】
以上のように構成されている本実施形態に係る引戸装置では、通常時の第１引戸本体１は前記駆動装置４０による付勢力によって閉じ側への移動限に達している。また、第２引戸本体２には、この引戸本体２のローラ３０，３１が開き側へ下り傾斜している第２ガイドレール２２の第２レール部２２Ｄに係合しているため、常時、開き側の付勢力が生じている。このため、図４で示すように、第１連結部材７１と第２連結部材７２が当接している。駆動装置４０による第１引戸本体１の閉じ側への付勢力は、第２ガイドレール２２による第２引戸本体２の開き側への付勢力よりも大きいため、通常時の第１及び第２引戸本体１，２は、図１及び図４で示されているように、閉じ側の位置に達しており、これにより、前記開口部３が閉じられている。
【００６２】
前記把持部１Ａを握った手による操作力により第１引戸本体１を駆動装置４０の付勢力に抗して開き側へ移動させると、第１連結部材７１は第２連結部材７２から分離するため、第２引戸本体２は、開き側への下り勾配を有している第２ガイドレール２２による付勢力により、開き側へ移動する。このため、２個の引戸本体１，２は連動して開き移動することになり、開口部３は開かれる。図５は、このときの途中状態を示している。
【００６３】
なお、第１引戸本体１の開き速度が第２引戸本体２の開き速度よりも速い場合には、図４で示した第１引戸本体１の第１連結部材７１が第２引戸本体２の第３連結部材７３に当接するため、この当接後における第２引戸本体２は第１引戸本体１と一体となって開き移動することになる。
【００６４】
また、把持部１Ａから手を放して駆動装置４０による付勢力で第１引戸本体１を閉じ移動させた場合、あるいは、この付勢力に加えて把持部１Ａから第１引戸本体１に閉じ操作力を作用させた場合には、第１引戸本体１が閉じ側へ移動するととも、第１連結部材７１は第２連結部材７２に当接するため、前記連結手段７０により第２引戸本体２は第１引戸本体１と共に閉じ移動する。
【００６５】
このため、本実施形態によると、第１引戸本体１と第２引戸本体２は、閉じ移動と開き移動の両方について、連動して移動することになる。
【００６６】
また、この連動移動は、第２引戸本体２を開き側へ付勢する付勢手段を設けること、すなわちこの実施形態では、第２引戸本体２の移動を案内する第２ガイドレール２２を引戸本体２の開き側へ下り傾斜させることと、第１引戸本体１の閉じ側への移動時にこの第１引戸本体１と第２引戸本体２を連結し、第１引戸本体１の閉じ側への移動で第２引戸本体を閉じ側へ移動させるための連結手段７０を設けること、とにより実現できる。これらの手段は構造が複雑なものではなく、引戸装置に簡単に設けることができるため、引戸装置全体の構造の簡単化、製造コストの低減を達成できる。
【００６７】
特に、この実施形態では、第２引戸本体２を開き側へ付勢する付勢手段は、この引戸本体２の移動を案内するために設けられる第２ガイドレール２２を傾斜させることにより実施されているため、第２引戸本体２の移動のための必要な部材の取付角度を水平方向に対して傾けるという簡単な構造でこの付勢手段を実現できる。
【００６８】
また、この実施形態によると、第１引戸本体１に閉じ側への付勢力を付与する駆動装置４０が設けられており、この駆動装置４０による付勢力は、第２引戸本体２の開き側へ下り傾斜した第２ガイドレール２２による第２引戸本体２の開き側への付勢力よりも大きいため、通常時において、前記開口部３を第１及び第２引戸本体１，２によって閉じておくことができる。
【００６９】
また、図２で説明したように、第２引戸本体２を第２レール部２２Ｄで案内する第２ガイドレール２２は、第１引戸本体１を第１レール部２１Ｄで案内する第１ガイドレール２１に止着具２３で結合されているとともに、この結合位置は、第１ガイドレール２１の前記垂下部２１Ｆの位置であって、第１引戸本体１と第２引戸本体２のうち、第２引戸本体２の上方位置又は第２引戸本体２に近い上方位置であるため、図３から分かるように、第２ガイドレール２２が第１ガイドレール２１に結合される前における第１ガイドレール２１の第１レール部２１Ｄは、この第１レール部２１Ｄに第１引戸本体１を配置する作業を行う側、言い換えると、前記カバー１０で塞がれる無目５の前記点検口の側に露出している。このため、カバー１０の取り外しにより、第１レール部２１Ｄに第１引戸本体１を配置するための作業、すなわち、第１レール部２１Ｄに図２で示された第１引戸本体１のローラ２６，２７を係合する作業を容易に行える。
【００７０】
また、第１ガイドレール２１の垂下部２１Ｆの垂下量は第１レール部２１Ｄまで達しない小さい量であるため、第２ガイドレール２２が垂下部２１Ｄに結合される前は、第１レール部２１Ｄの全体とその上方部分まで大きく露出させることできる。このため、上述した第１レール部２１Ｄに第１引戸本体１を配置するための作業を一層容易に行える。
【００７１】
以上のように第１ガイドレール２１の第１レール部２１Ｄに第１引戸本体１を配置した後、第１ガイドレール２１に止着具２３で第２ガイドレール２２を結合し、次いで、このガイドレール２２の第２レール部２２に第２引戸本体２の図２で示したローラ３０，３１を係合させることにより、第２ガイドレール２２に第２引戸本体２を配置することができる。
【００７２】
また、前述した駆動装置４０や制動装置５０の保守、点検作業等を行う場合には、第２ガイドレール２２からの第２引戸本体２の取り外しと第１ガイドレール２１からの第２ガイドレール２２の取り外しを行うことにより、これらの駆動装置４０と制動装置５０を露出させることができるため、所定の作業を容易に行える。
【００７３】
図６の実施形態は、第２引戸本体２を開き側へ付勢するための付勢手段についての別実施形態を示す。この実施形態では、第１ガイドレール２１の垂下部２１Ｆに止着具２３で基部２２Ａが結合されている第２ガイドレール２２は、第１ガイドレール２１と同じく、引戸本体１，２の移動方向に水平となっている。
【００７４】
そして、この実施形態に係る引戸装置には、第２引戸本体２を開き側へ常時付勢するための付勢手段としての駆動装置８０が設けられている。この駆動装置８０は、この実施形態でも第１引戸本体１を閉じ側へ付勢するために設けられている駆動装置４０と同じ原理及び構造となっている。ずなわち、駆動装置８０は、第２引戸本体２のローラブラケット２９に取り付けられた装置本体８１と、この装置本体８１の内部に回転自在に組み込まれたリール８２と、このリール８２に一端が結合されて巻かれ、装置本体８１から延びている他端が不動部材となっている戸尻側の前記縦枠部材９に結合された紐状部材８３とを有する。リール８２の内側には、一端がリール８２に結合され、他端が装置本体８１に結合された渦巻きばねが配置されている。
【００７５】
第２引戸本体２が閉じ側へ移動したときには、回転しながら紐状部材８３を繰り出すリール８２によって渦巻きばねが蓄圧される。このため、この蓄圧力が第２引戸本体２を開き側へ付勢する駆動力となる。
【００７６】
なお、装置本体８１を、縦枠部材９等の引戸本体２に対して不動となっている不動部材に取り付け、紐状部材８３の端部を引戸本体２に結合してもよい。
【００７７】
この実施形態では、第１引戸本体１を閉じ側へ付勢する駆動装置４０の付勢力は、第２引戸本体２を開き側へ付勢する駆動装置８０の付勢力よりも大きく設定されている。これにより、前記実施形態と同じく、通常時の第１引戸本体１と第２引戸本体２は開口部３を閉じているとともに、これらの引戸本体１，２は開き側と閉じ側の両方へ連動して移動することになる。
【００７８】
図７は、第１引戸本体１と第２引戸本体２を連動させて開き移動及び閉じ移動させるためのさらに別実施形態を示し、図８は、図７のＳ８−Ｓ８線矢視図である。この実施形態でも第１引戸本体１を閉じ側へ付勢する駆動装置４０が用いられているが、第１ガイドレール２１の垂下部２１Ｆに止着具２３で基部２２Ａが結合されている第２ガイドレール２２は、第１ガイドレール２１と同じく、引戸本体１，２の移動方向に水平となっており、また、第２引戸本体２を開き側へ付勢する駆動装置は用いられていない。
【００７９】
この実施形態では、図８で示すように、第１引戸本体１の第１引戸本体１の閉じ側の端部（戸先側の端部）には、引戸本体１の厚さ方向における第２引戸本体２の側への突出量を有する板状の第４連結部材９１が結合されている。このため、第１引戸本体１を開き移動させたときには、この連結部材９１が第２引戸本体２の閉じ側の端部に当接することにより、この当接後は、第１引戸本体１と第２引戸本体２が連動して開き移動することになる。
【００８０】
このため、第４連結部材９１が、第１引戸本体１の開き側への移動時に第１引戸本体１と第２引戸本体２を連結し、第１引戸本体１の開き移動によって第２引戸本体２も開き移動させるための第１連結手段９０となっている。
【００８１】
また、第１引戸本体１が閉じ側へ移動したときには、前述した第１連結部材７１と第２連結部材７２の当接によって第２引戸本体２は第１引戸本体１と連動して閉じ移動することになる。このため、これらの連結部材７１，７２で形成されている前記連結手段７０は、第１引戸本体１の閉じ側への移動時に第１引戸本体１と第２引戸本体２を連結し、第１引戸本体１の閉じ側への移動によって第２引戸本体２を閉じ側へ移動させるための第２連結手段となっている。
【００８２】
なお、この実施形態において、図８の２点鎖線で示されているように、第４連結部材９１の代わりに前述した第３連結部材７３を第２引戸本体２の開き側の端部に設けることにより、この連結部材７３を第１連結手段としてもよい。
【００８３】
【発明の効果】
本発明によると、多重引き式引戸装置の複数の引戸本体を比較的簡単な構造で連動移動させることができるという効果を得られる。
【図面の簡単な説明】
【図１】本発明の一実施形態に係る２重引き式引戸装置の全体を示す正面図である。
【図２】図１で示された無目の内部に配置されている引戸本体の開閉移動用の移動機構を示す正面図である。
【図３】図２のＳ３−Ｓ３線断面図である。
【図４】図２のＳ４−Ｓ４線矢視図である。
【図５】開口部を閉じていた第１引戸本体と第２引戸本体が開口部を開くまでの途中状態を示す図２と同様の図である。
【図６】第２引戸本体を開き側へ付勢する付勢手段が駆動装置となっている実施形態を示す図２と同様の図である。
【図７】第１引戸本体と第２引戸本体を連動させて開き移動及び閉じ移動させるためのさらに別実施形態を示す図２と同様の図である。
【図８】図７のＳ８−Ｓ８線矢視図である。
【符号の説明】
１  第１引戸本体
２  第２引戸本体
３  開口部
２１  第１引戸本体の移動を案内する第１ガイド部材である第１ガイドレール
２２  第２引戸本体の移動を案内する第２ガイド部材である第２ガイドレール
４０  第１引戸本体を閉じ側へ付勢する付勢手段となっている駆動装置
５０  制動装置
７０  第１引戸本体の閉じ側への移動時に第１引戸本体と第２引戸本体を連結する連結手段
８０  第２引戸本体を開き側へ付勢する付勢手段となっている駆動装置
９０  第１引戸本体の開き側への移動時に第１引戸本体と第２引戸本体を連結する連結手段
【図１】
0003913607.tif 000002
【図２】
0003913607.tif 000003
【図３】
0003913607.tif 000004
【図４】
0003913607.tif 000005
【図５】
0003913607.tif 000006
【図６】
0003913607.tif 000007
【図７】
0003913607.tif 000008
【図８】
0003913607.tif 000009